(57)【要約】  本明細書および図面によって、電子装置の製造（例えば、工場試験）過程において提供される電子装置のカメラモジュール（または、カメラ）のカメラモジュール特性をカメラモジュールの不揮発性メモリに保存することによって、電子装置がこれらのカメラモジュール特性を使用してイメージを撮り処理し、および／またはカメラモジュールを識別するための新規の方法、装置、およびソフトウェア製品が示される。電子装置は、無線通信装置、ポータブル電子装置、カメラ、カメラ付き携帯電話などでもよい。
2009510868.tif 000002
【特許請求の範囲】
【請求項１】
電子装置（１０）のカメラモジュール（１２）のカメラモジュール特性を記憶する方法であって、
製造過程において、
ａ）前記カメラモジュール（１２）のイメージセンサ（１４）のピクセルに関するピクセル較正データ、
ｂ）センサ固有のパラメータ、および
ｃ）機械的シャッタの遅延のうちの少なくとも１つを備える前記カメラモジュール特性を提供すること（４０）と、
前記製造過程において、前記カメラモジュール（１２）内に組み込まれた不揮発性メモリ（１８）に前記カメラモジュール特性を記憶することによって、前記電子装置（１０）が、前記カメラモジュール特性を使用して、イメージを撮り処理したりまたは前記カメラモジュールを識別したりすること（４２）と、を備える方法。
【請求項２】
前記ピクセル較正データは、暗電流較正、感光不均一性較正、および口径食較正の少なくとも１つを備え、
前記ピクセル較正データを提供することは、
前記カメラモジュール（１２）の前記イメージセンサ（１４）の前記ピクセルに関する暗電流特性、感光不均一性特性、および口径食特性のうちの少なくとも１つを備えるピクセル特性データを生成するステップと、
前記ピクセル特性データを処理することによって、前記暗電流較正、前記感光不均一性較正、および前記口径食較正のうちの前記少なくとも１つをそれぞれ生成するステップと、を備える、請求項１に記載の方法。
【請求項３】
前記電子装置（１０）が、前記イメージを撮る間に、前記イメージセンサ（１４）の各ピクセルに関して、他の暗電流特性、他の光電流特性、および他の口径食特性のうちの少なくとも１つを備える他のピクセル特性データを生成するステップと、
前記電子装置（１０）が、前記他のピクセル特性データを処理することによって、他のピクセル較正データを生成するステップと、
前記他のピクセル較正データを前記不揮発性メモリ（１８）に記憶することによって、前記電子装置（１０）が前記他のピクセル較正データを使用して前記イメージセンサ（１４）を使用して撮った他のイメージを補正するステップと、をさらに備える、請求項２に記載の方法。
【請求項４】
予め選択された基準に従って、前記カメラモジュール（１２）の異なる作動条件に関して前記暗電流電流特性データを提供する、請求項２に記載の方法。
【請求項５】
前記異なる作動条件は、異なる温度または異なる露光時間である、請求項４に記載の方法。
【請求項６】
イメージからの異なる距離を使用したりまたは前記イメージセンサ（１４）の前に配置された集束光学アセンブリを備える光部品の異なる位置を使用したりして、前記口径食特性データを提供する、請求項２に記載の方法。
【請求項７】
前記製造過程において、前記不揮発性メモリ（１８）に記憶される前記カメラモジュール特性は、
ａ）カメラモジュール識別情報、
ｂ）製造日時、
ｃ）前記イメージセンサの色補正マトリックス、および
ｄ）イメージ鮮鋭化のうちの少なくとも１つをさらに備える、請求項１に記載の方法。
【請求項８】
前記電子装置（１０）が前記イメージを撮るとき、前記遅延を使用して前記シャッタのタイミングを調整する、請求項１に記載の方法。
【請求項９】
前記イメージを撮る間に他の機械的シャッタの遅延を記録し、前記他の遅延を前記不揮発性メモリ（１８）に記憶することによって、前記電子装置（１０）が他のイメージを撮るとき、前記他の遅延を使用して前記シャッタのタイミングを調整するステップをさらに備える、請求項８に記載の方法。
【請求項１０】
前記イメージセンサ（１４）および前記不揮発性メモリ（１８）は、１つの集積回路（１５）に統合されている、請求項１に記載の方法。
【請求項１１】
前記イメージセンサ（１４）を使用して所望のビデオイメージからビデオ信号を生成するステップと、
予め定められた基準によって前記不揮発性メモリ（１８）に記憶された前記ピクセル較正データから選択された較正データを使用して前記ビデオ信号をさらに処理することによって、前記ビデオ信号（３０）を補正し、補正済ビデオ信号（３４）を生成するステップと、をさらに備える、請求項１に記載の方法。
【請求項１２】
前記補正済ビデオ信号を他のメモリ（２０）に記憶するステップをさらに備える、請求項１１に記載の方法。
【請求項１３】
コンピュータプロセッサが実行するためのコンピュータプログラムコードを具現するコンピュータが読み取り可能な記憶構造を備えるコンピュータプログラムプロダクトであって、
前記電子装置の任意のコンポーネントによって実行するよう示された請求項１の前記方法の前記ステップを実行するための指示を含むことを特徴とする、コンピュータプログラムプロダクト。
【請求項１４】
イメージセンサ（１４）を備えるカメラモジュール（１２）と、
製造過程において、
ａ）前記カメラモジュール（１２）のイメージセンサ（１４）のピクセルに関するピクセル較正データ、
ｂ）センサ固有のパラメータ、および
ｃ）機械的シャッタの遅延のうちの少なくとも１つを備えるカメラモジュール特性を提供するための処理ブロック（１６）と、
前記製造過程において前記カメラモジュール特性を記憶するための不揮発性メモリ（１８）であって、前記電子装置（１０）が、前記カメラモジュール特性を使用することによって、イメージを撮り処理したりまたは前記カメラモジュールを識別したりする前記不揮発性メモリ（１８）と、を備える電子装置（１０）であって、
前記不揮発性メモリ（１８）は、前記カメラモジュール（１２）内に組み込まれる、電子装置（１０）。
【請求項１５】
前記カメラモジュールは、前記処理ブロック（１６）を備える、請求項１４に記載の電子装置。
【請求項１６】
前記ピクセル較正データは、暗電流較正、感光不均一性較正、および口径食較正の少なくとも１つを備え、
前記ピクセル較正データを提供することは、
前記イメージセンサ（１４）を使用して、前記カメラモジュール（１２）の前記イメージセンサ（１４）の前記ピクセルに関する暗電流特性、感光不均一性特性、および口径食特性を備えるピクセル特性データを生成することと、
前記処理ブロック（１６）が、前記ピクセル特性データを処理することによって、前記暗電流較正、前記感光不均一性較正、および前記口径食較正のうちの前記少なくとも１つをそれぞれ生成することと、を備える、請求項１４に記載の電子装置。
【請求項１７】
前記製造過程において、前記不揮発性メモリ（１８）に記憶される前記カメラモジュール特性は、
ａ）カメラモジュール識別情報、
ｂ）製造日時、
ｃ）前記イメージセンサの色補正マトリックス、および
ｄ）イメージ鮮鋭化のうちの少なくとも１つをさらに備える、請求項１４に記載の電子装置。
【請求項１８】
前記電子装置（１０）が前記イメージを撮るとき、前記遅延を使用して前記シャッタのタイミングを調整する、請求項１４に記載の電子装置。
【請求項１９】
前記イメージセンサ（１４）および前記不揮発性メモリ（１８）は、１つの集積回路（１５）に統合されている、請求項１４に記載の電子装置。
【請求項２０】
前記イメージセンサ（１４）を使用して所望のビデオイメージからビデオ信号を生成し、
前記処理ブロック（１６）が、予め定められた基準によって前記不揮発性メモリ（１８）に記憶された前記ピクセル較正データから選択された較正データを使用して前記ビデオ信号をさらに処理することによって、前記ビデオ信号（３０）を補正し、補正済ビデオ信号（３４）を生成する、請求項１４に記載の電子装置。
【請求項２１】
前記電子装置（１０）は、無線通信装置、ポータブル電子装置、カメラ、またはカメラ付移動電話である、請求項１４に記載の電子装置。
【請求項２２】
イメージセンサ（１４）と、
前記製造過程においてカメラモジュール特性を記憶するための不揮発性メモリであって、前記カメラモジュール特性を使用することによって、前記イメージセンサ（１４）を使用してイメージを撮り処理する前記不揮発性メモリ（１８）と、を備え、
前記カメラモジュール特性は、前記イメージセンサ（１４）のピクセルに関する暗電流較正、感光不均一性較正、および口径食較正を少なくとも備えるピクセル較正データを備える、集積回路（１５）。
【発明の詳細な説明】
【技術分野】
【０００１】
本発明は、一般に、ビデオ電子装置に関し、特に、製造過程におけるカメラモジュール特性の記憶に関する。
【背景技術】
【０００２】
イメージセンサ（または、センサ）は、任意のデジタルカメラにおける感光素子である。センサの中核は、ピクセルの配列である。それぞれのピクセルの出力値がそのピクセル上の入射光のエネルギに比例することによって、センサは、イメージを出力することができる。各ピクセルの前にカラーフィルタを配置することによって、カラーイメージ処理が可能になる。
【０００３】
一般に、センサは非理想特性を有する。例えば、ピクセルは、暗闇でさえ出力信号を生成してしまう場合がある。さらに、ピクセルの容量に限界があったり（飽和してしまったり）、すべてのピクセルに対して光エネルギと出力値との関係が均一ではなかったり、各ピクセルの色レスポンスが異なったりする。レスポンスが固定値であるピクセルもある。センサの前に光学システムを配置することによって、光軸からより離れたイメージの各部における鮮鋭度や暗度のレベルの相違（口径食）などの他のパラメータが取り入れられる。
【０００４】
これらの特性は、時間クラスと空間クラスとに分けることができる。時間的特性とは、時間的ノイズなどの個々のピクセルのプロパティのことをいう。空間的特性とは、所与のセンサにおけるピクセル間の相違点のことをいう。また、センサは、シリアル番号、製造日時、およびカラーマトリックスを含むセンサ固有のパラメータを有することがある。カラーマトリックスは、センサの色空間をＲＧＢなどの一般／周知の色空間に変換するのに使用される。
【発明の開示】
【発明が解決しようとする課題】
【０００５】
イメージ配列の中で空間的に変化するパラメータおよびセンサ固有のパラメータによる問題に起因して、画像品質が低下する場合がある。空間的に変化するパラメータの現象を空間ノイズと呼ぶ。センサ固有のパラメータは、一般に、同一のセンサのピクセルすべてに関して同一であるが、センサが異なると変動する。各ピクセルは、異なるレートで暗電流を生成するが、異なるピクセル間の相違は、桁違いになる場合さえある。これは、特に弱光条件において問題となる場合がある。異なる暗電流生成レートによるノイズは、暗信号不均一性（ＤＳＮＵ：Dark Signal Non-Uniformity）と呼ばれる。機械的シャッタを使用したり各イメージを撮った後ダークフレームを取ったりすることによって、ＤＳＮＵを補正することができる。この補正は、例えば、イメージ処理製品が組み立てられる前の製造環境で、機械的シャッタを持たないイメージ処理装置または機械的シャッタにアクセスする手段を持たないセンサ構成においては、実施不可能である。
【０００６】
また、異なるピクセルに関して、ピクセル出力と入射光エネルギとの割合が異なる場合もある。すなわち、各ピクセルが異なる利得を有すると考えられる場合がある。これは、特に強光および中光の条件下で問題となる。このタイプの空間ノイズは、感光不均一性（ＰＲＮＵ：PhotoResponse Non-Uniformity）と呼ばれる。ＰＲＮＵに関する一般的値は、１％＝（平均偏差／平均ピクセル値）＊１００％である。これまで、プログラム可能不揮発性メモリを含むことによって、このメモリをカメラモジュール中に常駐させ、工場試験過程において較正を適用できるようにすることができるカメラモジュール（または、イメージセンサ）は、存在しなかった。したがって、従来技術の補正技術は、外部記憶装置を使用しており、これが、ＰＲＮＵ補正がより早期に広く適用されなかった理由である。
【０００７】
口径食に起因して、均一に照射した場合でも、イメージの端における絶対ピクセル出力値が光軸におけるピクセル出力値の２５％〜５０％にすぎない場合がある。この影響は、デジタル処理によって部分的に補正することができるが、各センサに対して個別に行われない。口径食は、光軸からより離れたピクセルに対してより大きい利得を適用することによって補正することができるが、個々のカメラモジュールに対する計算は、行われていなかった。
【０００８】
光学部品に起因するかすれは、一般に、デジタル処理でイメージを鮮鋭化することによって部分的に補正される。しかしながら、センサ固有の補正は、行われていなかった。したがって、２台の同一モデルのカメラからのイメージが異なって見えることがある。
【０００９】
同様に、同一のモデルのすべてのカメラに対して、同一のカラーマトリックスが使用される。しかしながら、これによって各カメラが個別に較正されないため、色に相違が現れる。
【課題を解決するための手段】
【００１０】
本発明の第１の形態による電子装置のカメラモジュールのカメラモジュール特性を記憶する方法は、
製造過程において、
ａ）前記カメラモジュールのイメージセンサのピクセルに関するピクセル較正データ、
ｂ）センサ固有のパラメータ、および
ｃ）機械的シャッタの遅延のうちの少なくとも１つを備える前記カメラモジュール特性を提供することと、
前記製造過程において、前記カメラモジュール内に組み込まれた不揮発性メモリに前記カメラモジュール特性を記憶することによって、前記電子装置が、前記カメラモジュール特性を使用して、イメージを撮り処理したりまたは前記カメラモジュールを識別したりすることと、を備える。
【００１１】
さらに、本発明の第１の形態によれば、前記ピクセル較正データは、暗電流較正、感光不均一性較正、および口径食較正の少なくとも１つを備えてもよい。また、前記ピクセル較正データを提供することは、前記カメラモジュールの前記イメージセンサの前記ピクセルに関する暗電流特性、感光不均一性特性、および口径食特性のうちの少なくとも１つを備えるピクセル特性データを生成するステップと、前記ピクセル特性データを処理することによって、前記暗電流較正、前記感光不均一性較正、および前記口径食較正のうちの前記少なくとも１つをそれぞれ生成するステップと、を備える。さらに、前記電子装置が、前記イメージを撮る間に、前記イメージセンサの各ピクセルに関して、他の暗電流特性、他の光電流特性、および他の口径食特性のうちの少なくとも１つを備える他のピクセル特性データを生成することと、前記電子装置が、前記他のピクセル特性データを処理することによって、他のピクセル較正データを生成することと、前記他のピクセル較正データを前記不揮発性メモリに記憶することによって、前記電子装置が前記他のピクセル較正データを使用して前記イメージセンサを使用して撮った他のイメージを補正することと、をさらに備えてもよい。さらにまた、予め選択された基準に従って、前記カメラモジュールの異なる作動条件に関して前記暗電流電流特性データを提供してもよい。その上、前記異なる作動条件は、異なる温度または異なる露光時間でもよい。また、イメージからの異なる距離を使用したりまたは前記イメージセンサの前に配置された集束光学アセンブリを備える光部品の異なる位置を使用したりして、前記口径食特性データを提供してもよい。
【００１２】
さらに、本発明の第１の形態によれば、前記製造過程において、前記不揮発性メモリに記憶される前記カメラモジュール特性は、
ａ）カメラモジュール識別情報、
ｂ）製造日時、
ｃ）前記イメージセンサの色補正マトリックス、および
ｄ）イメージ鮮鋭化のうちの少なくとも１つをさらに備えてもよい。
【００１３】
さらにまた、本発明の第１の形態によれば、前記電子装置が前記イメージを撮るとき、前記遅延を使用して前記シャッタのタイミングを調整してもよい。また、本発明は、前記イメージを撮る間に他の機械的シャッタの遅延を記録し、前記他の遅延を前記不揮発性メモリに記憶することによって、前記電子装置が他のイメージを撮るとき、前記他の遅延を使用して前記シャッタのタイミングを調整するステップをさらに備えてもよい。
【００１４】
さらに、本発明の第１の形態によれば、前記イメージセンサおよび前記不揮発性メモリは、１つの集積回路に統合されてもよい。
【００１５】
さらにまた、本発明の第１の形態によれば、前記方法は、前記イメージセンサを使用して所望のビデオイメージからビデオ信号を生成するステップと、予め定められた基準によって前記不揮発性メモリに記憶された前記ピクセル較正データから選択された較正データを使用して前記ビデオ信号をさらに処理することによって、前記ビデオ信号を補正し、補正済ビデオ信号を生成するステップと、を備えてもよい。
【００１６】
さらに、本発明の第１の形態によれば、前記方法は、前記補正済ビデオ信号を他のメモリに記憶するステップをさらに備えてもよい。
【００１７】
本発明の第２の形態によるコンピュータプログラムプロダクトは、コンピュータプロセッサが実行するためのコンピュータプログラムコードを具現するコンピュータが読み取り可能な記憶構造を備え、前記電子装置の任意のコンポーネントによって実行するよう示された本発明の第１の形態の前記方法の前記ステップを実行するための指示を含むことを特徴とする。
【００１８】
本発明の第３の形態による電子装置は、
イメージセンサを備えるカメラモジュールと、
製造過程において、
ａ）前記カメラモジュールのイメージセンサのピクセルに関するピクセル較正データ、
ｂ）センサ固有のパラメータ、および
ｃ）機械的シャッタの遅延のうちの少なくとも１つを備えるカメラモジュール特性を提供するための処理ブロックと、
前記製造過程において前記カメラモジュール特性を記憶するための不揮発性メモリであって、前記電子装置が前記カメラモジュール特性を使用することによって、イメージを撮り処理したりまたは前記カメラモジュールを識別したりする前記不揮発性メモリと、を備え、前記不揮発性メモリは、前記カメラモジュール内に組み込まれる。
【００１９】
また、本発明の第３の形態によれば、前記カメラモジュールは、前記処理ブロックを備えてもよい。
【００２０】
さらに、本発明の第３の形態によれば、前記ピクセル較正データは、暗電流較正、感光不均一性較正、および口径食較正の少なくとも１つを備えてもよく、前記ピクセル較正データを提供することは、前記イメージセンサを使用して、前記カメラモジュールの前記イメージセンサの前記ピクセルに関する暗電流特性、感光不均一性特性、および口径食特性を備えるピクセル特性データを生成することと、前記処理ブロックが、前記ピクセル特性データを処理することによって、暗電流較正、感光不均一性較正、および口径食較正のうちの前記少なくとも１つをそれぞれ生成することと、を備える。
【００２１】
さらにまた、本発明の第３の形態によれば、前記製造過程において、前記不揮発性メモリに記憶される前記カメラモジュール特性は、
ａ）カメラモジュール識別情報、
ｂ）製造日時、
ｃ）前記イメージセンサの色補正マトリックス、および
ｄ）イメージ鮮鋭化のうちの少なくとも１つをさらに備えてもよい。
【００２２】
また、本発明の第３の形態によれば、前記電子装置が前記イメージを撮るとき、前記遅延を使用して前記シャッタのタイミングを調整してもよい。
【００２３】
さらに、本発明の第３の形態によれば、前記イメージセンサおよび前記不揮発性メモリは、１つの集積回路に統合されてもよい。
【００２４】
さらにまた、本発明の第３の形態によれば、前記イメージセンサを使用して所望のビデオイメージからビデオ信号を生成してもよく、前記処理ブロックが、予め定められた基準によって前記不揮発性メモリに記憶された前記ピクセル較正データから選択された較正データを使用して前記ビデオ信号をさらに処理することによって、前記ビデオ信号を補正し、補正済ビデオ信号を生成する。
【００２５】
また、本発明の第３の形態によれば、前記電子装置は、無線通信装置、ポータブル電子装置、カメラ、またはカメラ付移動電話でもよい。
【００２６】
本発明の第４の形態による集積回路は、イメージセンサと、前記製造過程においてカメラモジュール特性を記憶するための不揮発性メモリであって、前記カメラモジュール特性を使用することによって、前記イメージセンサを使用してイメージを撮り処理する前記不揮発性メモリと、を備えてもよく、前記カメラモジュール特性は、前記イメージセンサのピクセルに関する暗電流較正、感光不均一性較正、および口径食較正を少なくとも備えるピクセル較正データを備える。
【発明を実施するための最良の形態】
【００２７】
本発明の実施例によって、電子装置の製造（例えば、工場試験）過程において提供される電子装置のカメラモジュール（または、カメラ）のカメラモジュール特性をカメラモジュールの不揮発性メモリに保存することによって、電子装置がこれらのカメラモジュール特性を使用してイメージを撮り処理するための新規の方法、装置、およびソフトウェア製品が示される。電子装置は、無線通信装置、ポータブル電子装置、カメラ、カメラ付き携帯電話などでもよい。
【００２８】
本発明の一実施例によれば、カメラモジュール特性は、カメラモジュールのイメージセンサの各ピクセルに関するピクセル較正データを備えることがある。ピクセル較正データは、少なくとも暗電流較正、感光不均一性較正、および／または、口径食較正を備える（が、これらに限定されない）。
【００２９】
本発明の他の実施例によれば、ピクセル較正データを提供することは、イメージセンサを使用して、イメージセンサのすべてのピクセルに関する暗電流特性、感光不均一性特性、および／または、口径食特性を備えるピクセル特性データを生成する段階を備える。そして、カメラモジュールの処理ブロックまたは電子装置の処理ブロック（すなわち、カメラモジュールの処理ブロックは、電子装置の処理ブロックに組み込まれてもよい）は、このピクセル特性データを使用して、ピクセル較正（例えば、それぞれ、暗電流較正、感光不均一性較正、および／または口径食較正）データを生成する。
【００３０】
本発明の一実施例によれば、イメージを撮る間に、他のピクセル較正データを（上記の生成および処理によって）提供し不揮発性メモリに記憶することによって、製造過程において記憶されたピクセル較正データを更新することができる。これによって、他のピクセル較正データを使用して、電子装置がイメージセンサを使用して撮った他のイメージを補正することができる。
【００３１】
また、本発明の実施例によれば、カメラモジュール特性は、電子装置の製造過程において不揮発性メモリに記憶されることがあるセンサ固有のパラメータであってもよい。これらのセンサ固有のパラメータは、以下を備えることがある(が、これらに制限されない）。ａ）例えば、６４ビットまたは３２ビットのバイナリ値である場合があるシリアル番号などのカメラモジュール識別情報、ｂ）例えば、所与の基準時間からの秒数を示す３２ビット数などの製造日時、ｃ）イメージセンサの色補正マトリックス、および／またはｄ）イメージ鮮鋭化などである。カラーマトリックスは、３×３マトリックスであってもよい。このマトリックスは、例えば、製造試験の過程において周知の色ターゲットのテストイメージを撮り、再生した色と理想の色との相違に基づいてカラーマトリックスに対する補正値を算出することによって、生成してもよい。また、集束光学アセンブリによって作成されるイメージは、イメージ領域における先鋭度が不均等になり、製造公差のためカメラモジュールごとに変動する。この問題を解決するため、製造過程においてモジュール固有のイメージ鮮鋭化データを記憶し、カメラモジュールが撮ったイメージを鮮鋭化するのに後で使用することができる。製造日時／時間およびシリアル番号は、共に、製造後のカメラモジュールを追跡するのに使用することができる。
【００３２】
さらに、本発明の実施例によれば、製造過程において記憶されるカメラモジュール特性は、機械的シャッタの遅延をさらに備えてもよい。電子装置によってイメージを撮るとき、シャッタのタイミングを調整するのにこの遅延を使用できる。以下のように、イメージを撮る間に遅延を較正し直すことができる。他の機械的なシャッタの遅延は、不揮発性メモリに記録／記憶することができる。これによって、代替の方法として、電子装置によって他のイメージを撮るときシャッタのタイミングについて調整するため、（製造過程において記録した最初の遅延でない）他の遅延を使用することができる。
【００３３】
さらに、本発明の実施例によれば、イメージセンサと不揮発性メモリとを１つの集積回路（例えば、センサチップ）に統合してもよい。統合メモリによる解決法は、システムサイズの小型化を可能にする。また、これによって、製造試験過程においてカメラモジュール特性を記憶することができる。工場試験過程においてカメラモジュールの特性が特定され、各モジュールについて個々のパラメータを記憶することができ、より高い画像品質が得られる。イメージセンサには、例えば、相補型金属酸化膜半導体（ＣＭＯＳ：Complimentary Metal Oxide Semiconductor）イメージアレイ、ＣＣＤ、または同様の任意の利用可能な技術を使うことができる。不揮発性メモリには、ＣＭＯＳ論理処理、フラッシュメモリ技術などの使用を含む利用可能な製造方法を使うことができる（が、これらに限定されない）。市販の標準的ＣＭＯＳ論理処理におけるメモリの製造によって、ＣＭＯＳイメージセンサとの統合が可能である。
【００３４】
本発明の実施例によれば、例えば、異なる温度または異なる露光時間などの予め選択された基準によるカメラモジュールの異なる作動条件に対して暗電流特性データを提供することができる。さらに、イメージからの異なる距離を使用したり、または（、例えば、動く光学部品が使用される場合、）（イメージセンサの前に配置される）集束光学アセンブリを備える光部品の異なる位置を使用したりすることによって、口径食特性データを提供することができる。
【００３５】
本発明の他の実施例によれば、イメージセンサを使用して所望のビデオイメージからビデオ信号を生成するとき、予め定められた基準によって不揮発性メモリに記憶されたピクセル較正データから選択された較正データを使用してビデオ信号をさらに処理することによって、ビデオ信号を補正し補正済ビデオ信号を生成する。オプションとして、補正済ビデオ信号を外部記憶装置に記憶したり、または所望の送り先に転送したりすることができる。
【実施例】
【００３６】
図１は、本発明の他の実施例による、製造過程において電子装置１０のイメージセンサ１４のピクセル較正データを記憶することによって、電子装置１０によって前記イメージセンサ１４を使用して撮ったイメージをさらに補正するための電子装置１０のブロック図のいくつかある例の中の１つを示す。
【００３７】
カメラモジュール１２は、１つの（例えば、センサチップなどの）集積回路１５に統合された（例えば、ＣＭＯＳセンサなどの）イメージセンサ１４と不揮発性メモリ１８とを備える。カメラモジュール１２は、処理ブロック１６をさらに備え、この処理ブロック１６は、ブロック１６または１６ａによって行われる計算をサポートするイメージ補正計算ブロック１６ａとオプションの処理メモリ１６ｂとを備えてもよい。ブロック１６は、カメラモジュール１２内の専用ブロックでもよいし、電子装置１０の処理ブロック内に組み込んでもよい。
【００３８】
イメージセンサ１４は、製造過程において、イメージセンサ１４の各ピクセルに関して、暗電流特性データ、感光不均一性特性データ、および／または口径食特性データを備えるピクセル特性データを生成することができる。ピクセル特性データは、ブロック１６によって（例えば、イメージ補正計算ブロック１６ａを用いて）処理されることによって、（例えば、それぞれ、暗電流較正、感光不均一性較正、および／または口径食較正などの）ピクセル較正データを生成する。その後、これらのピクセル較正データは、不揮発性メモリ１８に記憶される。
【００３９】
また、カメラモジュール１２の（例えば、シリアル番号などの）識別情報、製造日時、および／または、イメージセンサ１４の色補正マトリックスなどのセンサ固有のパラメータであるカメラモジュール特性は、電子装置１０の製造過程において不揮発性メモリ１８に記憶される。製造過程において、機械的シャッタ（図示せず）の遅延も不揮発性メモリ１８に記録／記憶することができる。この遅延は、電子装置１０でイメージを撮るときシャッタのタイミングを調整するのに使用することができる。ピクセル較正データ、カメラモジュール特性、および機械的シャッタの遅延の生成に関しては、上記でより詳細に説明している。
【００４０】
イメージセンサ１４を使用して所望のビデオイメージ１１からビデオ信号３０を生成するとき、ブロック１６（または、ブロック１６ａ）が、予め定められた基準によって不揮発性メモリ１８に記憶されたピクセル較正データから選択された較正データを使用してビデオ信号３０をさらに処理することによって、ビデオ信号３０を補正し補正済ビデオ信号３４を生成する。オプションとして、補正済ビデオ信号３４を装置メモリ２０（または、外部記憶装置）に記憶するか、またはＩ／Ｏポート２２を介して所望の送り先に転送することができる。
【００４１】
図２は、本発明の実施例による、電子装置１０の較正およびイメージ撮影の手順を説明するフローチャートの一例を示す。この場合、カメラモジュール特性は、製造過程において不揮発性メモリ１８に記憶される。
【００４２】
図２のフローチャートは、数ある可能なケースの中の１つを示すにすぎない。本発明の一実施例による１つの方法では、第１のステップ４０で、図１に関して上記で説明したように、電子装置１０の製造過程において（例えば、ピクセル較正データ、機械的シャッタの遅延、センサ固有パラメータなどの）カメラモジュール特性が提供される。本発明の実施例によれば、ピクセル較正データは、（例えば、異なる温度や作動条件に対する）暗電流較正、感光不均一性較正、（例えば異なる光学部品の位置や像距離に対する）口径食較正などを含む場合があるが、これらに限定されない。さらに、センサ固有のパラメータは、カメラモジュール識別情報、製造日時、イメージセンサの色補正マトリックス、イメージ鮮鋭化などを備える場合がある（が、これらに制限されない）。次のステップ４２では、（例えば、試験などの製造過程において）提供されたカメラモジュール特性を不揮発性メモリ１８に記憶する。
【００４３】
本発明の本実施例によれば、次のステップ４４において、不揮発性メモリ１８に記憶された機械的シャッタの遅延を使用して、イメージセンサ１４によって所望のビデオイメージ１１からビデオ信号３０を生成することができる。次のステップ４４において、ビデオ信号３０が処理ブロック１６において補正され、補正済ビデオ信号３４を装置メモリ２０（または、外部記憶装置）に提供したり、またはＩ／Ｏポート２２を介して所望の送り先に転送したりする。最後のステップ４８において、必要な場合、（例えばシリアル番号などの）カメラモジュール識別情報を使用しそれをトレースする（例えば、製造中に問題が起きた場合、問題のある装置を識別することができる）。
【００４４】
上記のように、本発明によって、方法と、これに対応する装置であって、本方法の各ステップを実行するための機能を提供する様々なモジュールで構成される装置と、の両方が提供される。これらのモジュールは、ハードウェアとして実現してもよいし、またはコンピュータプロセッサによって実行されるソフトウェアまたはファームウェアとして実現してもよい。特に、ファームウェアまたはソフトウェアの場合、本発明は、コンピュータプロセッサによって実行するためのコンピュータプログラムコード（すなわち、ソフトウェアまたはファームウェア）を具現するコンピュータで読み取り可能な記憶構造を含むコンピュータプログラムプロダクトとして提供することができる。
【００４５】
上記の構成は、本発明の原理の適用の例示にすぎないことを理解されたい。当業者であれば、本発明の範囲を逸脱することなく多様な変更および代替の構成を考案することができるであろう。したがって、添付の請求項は、これらの変更および構成を含むことを意図している。
【図面の簡単な説明】
【００４６】
【図１】本発明の実施例による、製造過程において電子装置のイメージセンサのピクセル較正データを記憶することによって、電子装置がイメージセンサを使用して撮ったイメージをさらに補正する電子装置のブロック図である。
【図２】本発明の実施例による、製造過程においてカメラモジュール特性を記憶する電子装置による較正およびイメージ撮影の手順を示すフローチャートである。
【図１】
2009510868.tif 000003
【図２】
2009510868.tif 000004
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
製造過程において、機械的シャッタの遅延を備えるカメラモジュールのカメラモジュール特性を提供することと、
前記製造過程において、前記カメラモジュール内に組み込まれた不揮発性メモリに前記カメラモジュール特性を記憶することと、を備える方法。
【請求項２】
前記カメラモジュール特性は、
前記カメラモジュールのイメージセンサのピクセルに関するピクセル較正データ、および
センサ固有のパラメータのうちの少なくとも１つをさらに備える、請求項１に記載の方法。
【請求項３】
前記ピクセル較正データは、暗電流較正、感光不均一性較正、および口径食較正の少なくとも１つを備え、
前記ピクセル較正データを提供することは、
前記カメラモジュールの前記イメージセンサの前記ピクセルに関する暗電流特性、感光不均一性特性、および口径食特性のうちの少なくとも１つを備えるピクセル特性データを生成することと、
前記ピクセル特性データを処理することによって、前記暗電流較正、前記感光不均一性較正、および前記口径食較正のうちの前記少なくとも１つをそれぞれ生成することと、を備える、請求項２に記載の方法。
【請求項４】
イメージを撮る間に、前記イメージセンサの各ピクセルに関して、他の暗電流特性、他の光電流特性、および他の口径食特性のうちの少なくとも１つを備える他のピクセル特性データを生成することと、
前記他のピクセル特性データを処理することによって、他のピクセル較正データを生成することと、
前記他のピクセル較正データを前記不揮発性メモリに記憶することによって、前記他のピクセル較正データを使用して他のイメージを補正することと、をさらに備える、請求項３に記載の方法。
【請求項５】
予め選択された基準に従って、前記カメラモジュールの異なる作動条件に関して前記暗電流電流特性データを提供する、請求項３に記載の方法。
【請求項６】
前記異なる作動条件は、異なる温度または異なる露光時間である、請求項５に記載の方法。
【請求項７】
イメージからの異なる距離を使用したりまたは前記イメージセンサの前に配置された集束光学アセンブリを備える光部品の異なる位置を使用したりして、前記口径食特性データを提供する、請求項３に記載の方法。
【請求項８】
前記製造過程において、前記不揮発性メモリに記憶される前記カメラモジュール特性は、
カメラモジュール識別情報、
製造日時、
イメージセンサの色補正マトリックス、および
イメージ鮮鋭化のうちの少なくとも１つをさらに備える、請求項１に記載の方法。
【請求項９】
前記イメージを撮るとき、前記遅延を使用して前記シャッタのタイミングを調整する、請求項１に記載の方法。
【請求項１０】
前記イメージを撮る間に他の機械的シャッタの遅延を記録し、前記他の遅延を前記不揮発性メモリに記憶することによって、他のイメージを撮るとき、前記他の遅延を使用して前記シャッタのタイミングを調整することをさらに備える、請求項９に記載の方法。
【請求項１１】
イメージセンサおよび前記不揮発性メモリは、１つの集積回路に統合されている、請求項１に記載の方法。
【請求項１２】
前記イメージセンサを使用して所望のビデオイメージからビデオ信号を生成することと、
予め定められた基準によって前記不揮発性メモリに記憶された前記ピクセル較正データから選択された較正データを使用して前記ビデオ信号をさらに処理することによって、前記ビデオ信号を補正し、補正済ビデオ信号を生成することと、をさらに備える、請求項２に記載の方法。
【請求項１３】
前記補正済ビデオ信号を他のメモリに記憶することをさらに備える、請求項１２に記載の方法。
【請求項１４】
コンピュータプロセッサが実行するためのコンピュータプログラムコードを具現するコンピュータが読み取り可能な記憶構造を備えるコンピュータプログラムプロダクトであって、
前記コンピュータプログラムコードが、請求項１の前記方法を実行するための指示を備える、コンピュータプログラムプロダクト。
【請求項１５】
カメラモジュールと、
製造過程において、機械的シャッタの遅延を備えるカメラモジュール特性を提供するよう構成される処理ブロックと、
前記製造過程において前記カメラモジュール特性を記憶するよう構成される不揮発性メモリと、を備える装置であって、
前記不揮発性メモリは、前記カメラモジュール内に組み込まれる、装置。
【請求項１６】
前記カメラモジュール特性は、
前記カメラモジュールのイメージセンサのピクセルに関するピクセル較正データ、および
センサ固有のパラメータのうちの少なくとも１つをさらに備える、請求項１５に記載の装置。
【請求項１７】
前記カメラモジュールは、前記処理ブロックを備える、請求項１５に記載の装置。
【請求項１８】
前記ピクセル較正データは、暗電流較正、感光不均一性較正、および口径食較正の少なくとも１つを備え、
前記イメージセンサは、前記カメラモジュールの前記イメージセンサの前記ピクセルに関する暗電流特性、感光不均一性特性、および口径食特性を備えるピクセル特性データを生成するよう構成され、
前記処理ブロックは、前記ピクセル特性データを処理することによって、前記暗電流較正、前記感光不均一性較正、および前記口径食較正のうちの前記少なくとも１つをそれぞれ生成し、前記ピクセル較正データを提供するよう構成される、請求項１６に記載の装置。
【請求項１９】
前記製造過程において、前記不揮発性メモリに記憶される前記カメラモジュール特性は、
カメラモジュール識別情報、
製造日時、
前記カメラモジュールのイメージセンサの色補正マトリックス、および
イメージ鮮鋭化のうちの少なくとも１つをさらに備える、請求項１５に記載の装置。
【請求項２０】
前記装置は、前記装置がイメージを撮るとき、前記遅延を使用して前記シャッタのタイミングを調整するよう構成される、請求項１５に記載の装置。
【請求項２１】
前記カメラモジュールのイメージセンサおよび前記不揮発性メモリは、１つの集積回路に統合されている、請求項１５に記載の装置。
【請求項２２】
前記装置は、前記カメラモジュールの前記イメージセンサを使用して所望のビデオイメージからビデオ信号を生成するよう構成され、
前記処理ブロックが、予め定められた基準によって前記不揮発性メモリに記憶された前記ピクセル較正データから選択された較正データを使用して前記ビデオ信号をさらに処理することによって、前記ビデオ信号を補正し、補正済ビデオ信号を生成する、請求項１６に記載の装置。
【請求項２３】
前記装置は、無線通信用に構成される、請求項１５に記載の装置。
【請求項２４】
イメージセンサと、
製造過程においてカメラモジュール特性を記憶するよう構成される不揮発性メモリであって、前記カメラモジュール特性は、イメージを撮ったり、イメージを処理したり、イメージを撮って処理したり、またはカメラモジュールを識別したりするためのものである前記不揮発性メモリと、を備える集積回路であって、
前記カメラモジュール特性は、機械的シャッタの遅延を備える、集積回路。
【請求項２５】
前記モジュール特性は、前記イメージセンサのピクセルに関する暗電流較正、感光不均一性較正、および口径食較正のうちの少なくとも１つを備えるピクセル較正データをさらに備える、請求項２４に記載の集積回路。
【請求項２６】
画像撮影手段と、
製造過程において、機械的シャッタの遅延を備える前記画像撮影手段の特性を提供する処理手段と、
前記製造過程において前記特性を記憶する記憶手段であって、前記画像撮影手段内に組み込まれた前記記憶手段と、を備える装置。
【請求項２７】
前記記憶手段は、不揮発性メモリであり、前記画像撮影手段は、カメラモジュールである、請求項２６に記載の装置。
【請求項２８】
前記カメラモジュール特性は、イメージを撮ったり、イメージを処理したり、イメージを撮って処理したり、または前記カメラモジュールを識別したりするためのものである、請求項２に記載の方法。
【請求項２９】
前記装置は、前記特性を使用して、イメージを撮ったり、イメージを処理したり、イメージを撮って処理したり、または前記カメラモジュールを識別したりするよう構成される、請求項１５に記載の装置。
【請求項３０】
前記装置は、前記特性を使用して、イメージを撮ったり、イメージを処理したり、イメージを撮って処理したり、または前記カメラモジュールを識別したりするよう構成される、請求項２６に記載の装置。
【手続補正２】
【補正対象書類名】明細書
【補正対象項目名】００１０
【補正方法】変更
【補正の内容】
【００１０】
本発明の第１の形態による電子装置のカメラモジュールのカメラモジュール特性を記憶する方法は、
製造過程において、機械的シャッタの遅延を備えるカメラモジュールのカメラモジュール特性を提供することと、
前記製造過程において、前記カメラモジュール内に組み込まれた不揮発性メモリに前記カメラモジュール特性を記憶することと、を備える。
【手続補正３】
【補正対象書類名】明細書
【補正対象項目名】００１１
【補正方法】変更
【補正の内容】
【００１１】
また、本発明の第１の形態によれば、前記カメラモジュール特性は、前記カメラモジュールのイメージセンサのピクセルに関するピクセル較正データ、およびセンサ固有のパラメータのうちの少なくとも１つをさらに備えてもよい。さらに、本発明の第１の形態によれば、前記ピクセル較正データは、暗電流較正、感光不均一性較正、および口径食較正の少なくとも１つを備えてもよい。また、前記ピクセル較正データを提供することは、前記カメラモジュールの前記イメージセンサの前記ピクセルに関する暗電流特性、感光不均一性特性、および口径食特性のうちの少なくとも１つを備えるピクセル特性データを生成することと、前記ピクセル特性データを処理することによって、前記暗電流較正、前記感光不均一性較正、および前記口径食較正のうちの前記少なくとも１つをそれぞれ生成することと、を備える。さらに、イメージを撮る間に、前記イメージセンサの各ピクセルに関して、他の暗電流特性、他の光電流特性、および他の口径食特性のうちの少なくとも１つを備える他のピクセル特性データを生成することと、前記他のピクセル特性データを処理することによって、他のピクセル較正データを生成することと、前記他のピクセル較正データを前記不揮発性メモリに記憶することによって、前記電子装置が前記他のピクセル較正データを使用して他のイメージを補正することと、をさらに備えてもよい。さらにまた、予め選択された基準に従って、前記カメラモジュールの異なる作動条件に関して前記暗電流電流特性データを提供してもよい。その上、前記異なる作動条件は、異なる温度または異なる露光時間でもよい。また、イメージからの異なる距離を使用したりまたは前記イメージセンサの前に配置された集束光学アセンブリを備える光部品の異なる位置を使用したりして、前記口径食特性データを提供してもよい。
【手続補正４】
【補正対象書類名】明細書
【補正対象項目名】００１２
【補正方法】変更
【補正の内容】
【００１２】
さらに、本発明の第１の形態によれば、前記製造過程において、前記不揮発性メモリに記憶される前記カメラモジュール特性は、
カメラモジュール識別情報、
製造日時、
イメージセンサの色補正マトリックス、および
イメージ鮮鋭化のうちの少なくとも１つをさらに備えてもよい。
【手続補正５】
【補正対象書類名】明細書
【補正対象項目名】００１３
【補正方法】変更
【補正の内容】
【００１３】
さらにまた、本発明の第１の形態によれば、前記イメージを撮るとき、前記遅延を使用して前記シャッタのタイミングを調整してもよい。また、本発明は、前記イメージを撮る間に他の機械的シャッタの遅延を記録し、前記他の遅延を前記不揮発性メモリに記憶することによって、他のイメージを撮るとき、前記他の遅延を使用して前記シャッタのタイミングを調整することをさらに備えてもよい。
【手続補正６】
【補正対象書類名】明細書
【補正対象項目名】００１４
【補正方法】変更
【補正の内容】
【００１４】
さらに、本発明の第１の形態によれば、イメージセンサおよび前記不揮発性メモリは、１つの集積回路に統合されてもよい。
【手続補正７】
【補正対象書類名】明細書
【補正対象項目名】００１５
【補正方法】変更
【補正の内容】
【００１５】
さらにまた、本発明の第１の形態によれば、前記方法は、前記イメージセンサを使用して所望のビデオイメージからビデオ信号を生成することと、予め定められた基準によって前記不揮発性メモリに記憶された前記ピクセル較正データから選択された較正データを使用して前記ビデオ信号をさらに処理することによって、前記ビデオ信号を補正し、補正済ビデオ信号を生成することと、を備えてもよい。
【手続補正８】
【補正対象書類名】明細書
【補正対象項目名】００１６
【補正方法】変更
【補正の内容】
【００１６】
さらに、本発明の第１の形態によれば、前記方法は、前記補正済ビデオ信号を他のメモリに記憶することをさらに備えてもよい。
さらにまた、本発明の第１の形態によれば、前記カメラモジュール特性は、イメージを撮ったり、イメージを処理したり、イメージを撮って処理したり、または前記カメラモジュールを識別したりするためのものでもよい。
【手続補正９】
【補正対象書類名】明細書
【補正対象項目名】００１７
【補正方法】変更
【補正の内容】
【００１７】
本発明の第２の形態によるコンピュータプログラムプロダクトは、コンピュータプロセッサが実行するためのコンピュータプログラムコードを具現するコンピュータが読み取り可能な記憶構造を備え、前記コンピュータプログラムコードが、本発明の第１の形態の前記方法を実行するための指示を備える。
【手続補正１０】
【補正対象書類名】明細書
【補正対象項目名】００１８
【補正方法】変更
【補正の内容】
【００１８】
本発明の第３の形態による電子装置は、
カメラモジュールと、
製造過程において、機械的シャッタの遅延を備えるカメラモジュール特性を提供するよう構成される処理ブロックと、
前記製造過程において前記カメラモジュール特性を記憶するよう構成される不揮発性メモリと、を備える装置であって、
前記不揮発性メモリは、前記カメラモジュール内に組み込まれる。
【手続補正１１】
【補正対象書類名】明細書
【補正対象項目名】００１９
【補正方法】変更
【補正の内容】
【００１９】
さらに、本発明の第３の形態によれば、前記カメラモジュール特性は、前記カメラモジュールのイメージセンサのピクセルに関するピクセル較正データ、およびセンサ固有のパラメータのうちの少なくとも１つをさらに備えてもよい。
また、本発明の第３の形態によれば、前記カメラモジュールは、前記処理ブロックを備えてもよい。
【手続補正１２】
【補正対象書類名】明細書
【補正対象項目名】００２０
【補正方法】変更
【補正の内容】
【００２０】
さらに、本発明の第３の形態によれば、前記ピクセル較正データは、暗電流較正、感光不均一性較正、および口径食較正の少なくとも１つを備えてもよく、前記イメージセンサは、前記カメラモジュールの前記イメージセンサの前記ピクセルに関する暗電流特性、感光不均一性特性、および口径食特性を備えるピクセル特性データを生成するよう構成され、前記処理ブロックは、前記ピクセル特性データを処理することによって、前記暗電流較正、前記感光不均一性較正、および前記口径食較正のうちの前記少なくとも１つをそれぞれ生成し、前記ピクセル較正データを提供するよう構成されてもよい。
【手続補正１３】
【補正対象書類名】明細書
【補正対象項目名】００２１
【補正方法】変更
【補正の内容】
【００２１】
さらにまた、本発明の第３の形態によれば、前記製造過程において、前記不揮発性メモリに記憶される前記カメラモジュール特性は、
カメラモジュール識別情報、
製造日時、
前記カメラモジュールのイメージセンサの色補正マトリックス、および
イメージ鮮鋭化のうちの少なくとも１つをさらに備えてもよい。
【手続補正１４】
【補正対象書類名】明細書
【補正対象項目名】００２２
【補正方法】変更
【補正の内容】
【００２２】
また、本発明の第３の形態によれば、前記装置は、前記装置がイメージを撮るとき、前記遅延を使用して前記シャッタのタイミングを調整するよう構成してもよい。
【手続補正１５】
【補正対象書類名】明細書
【補正対象項目名】００２３
【補正方法】変更
【補正の内容】
【００２３】
さらに、本発明の第３の形態によれば、前記カメラモジュールのイメージセンサおよび前記不揮発性メモリは、１つの集積回路に統合されてもよい。
【手続補正１６】
【補正対象書類名】明細書
【補正対象項目名】００２４
【補正方法】変更
【補正の内容】
【００２４】
さらにまた、本発明の第３の形態によれば、前記装置は、前記カメラモジュールの前記イメージセンサを使用して所望のビデオイメージからビデオ信号を生成するよう構成され、前記処理ブロックが、予め定められた基準によって前記不揮発性メモリに記憶された前記ピクセル較正データから選択された較正データを使用して前記ビデオ信号をさらに処理することによって、前記ビデオ信号を補正し、補正済ビデオ信号を生成してもよい。
【手続補正１７】
【補正対象書類名】明細書
【補正対象項目名】００２５
【補正方法】変更
【補正の内容】
【００２５】
また、本発明の第３の形態によれば、前記装置は、無線通信用に構成されてもよい。
さらにまた、本発明の第３の形態によれば、前記装置は、前記特性を使用して、イメージを撮ったり、イメージを処理したり、イメージを撮って処理したり、または前記カメラモジュールを識別したりするよう構成されてもよい。
【手続補正１８】
【補正対象書類名】明細書
【補正対象項目名】００２６
【補正方法】変更
【補正の内容】
【００２６】
本発明の第４の形態による集積回路は、イメージセンサと、製造過程においてカメラモジュール特性を記憶するよう構成される不揮発性メモリであって、前記カメラモジュール特性は、イメージを撮ったり、イメージを処理したり、イメージを撮って処理したり、またはカメラモジュールを識別したりするためのものである前記不揮発性メモリと、を備えてもよく、前記カメラモジュール特性は、機械的シャッタの遅延を備える。
また、本発明の第４の形態によれば、前記モジュール特性は、前記イメージセンサのピクセルに関する暗電流較正、感光不均一性較正、および口径食較正のうちの少なくとも１つを備えるピクセル較正データをさらに備えてもよい。
本発明の第５の形態による装置は、画像撮影手段と、製造過程において、機械的シャッタの遅延を備える前記画像撮影手段の特性を提供する処理手段と、前記製造過程において前記特性を記憶する記憶手段であって、前記画像撮影手段内に組み込まれた前記記憶手段と、を備える。
また、本発明の第５の形態によれば、前記記憶手段は、不揮発性メモリであり、前記画像撮影手段は、カメラモジュールでもよい。
さらに、本発明の第５の形態によれば、前記装置は、前記特性を使用して、イメージを撮ったり、イメージを処理したり、イメージを撮って処理したり、または前記カメラモジュールを識別したりするよう構成されてもよい。
【手続補正１９】
【補正対象書類名】明細書
【補正対象項目名】００４３
【補正方法】変更
【補正の内容】
【００４３】
本発明の本実施例によれば、次のステップ４４において、不揮発性メモリ１８に記憶された機械的シャッタの遅延を使用して、イメージセンサ１４によって所望のビデオイメージ１１からビデオ信号３０を生成することができる。次のステップ４６において、ビデオ信号３０が処理ブロック１６において補正され、補正済ビデオ信号３４を装置メモリ２０（または、外部記憶装置）に提供したり、またはＩ／Ｏポート２２を介して所望の送り先に転送したりする。最後のステップ４８において、必要な場合、（例えばシリアル番号などの）カメラモジュール識別情報を使用しそれをトレースする（例えば、製造中に問題が起きた場合、問題のある装置を識別することができる）。
【国際調査報告】
2009510868.tif 000005
2009510868.tif 000006
2009510868.tif 000007
2009510868.tif 000008